(57)【要約】【課題】  ランプ機構、ラッチ機構およびコネクタブラケット機構という３つの別機能を単一組立品に統合し、ハードディスクドライブの製造コストを低減する。【解決手段】  コネクタブラケットアセンブリは、ランプ部材４０、ラッチ部材５０およびコネクタブラケット部材３０を有する。ランプ部材４０は、ヘッドスライダを、ヘッドインストール位置、ヘッドパーク位置およびヘッドディスクロード位置という３つのランプ位置に位置させる。ラッチ部材５０は、衝撃発生時等において、アクチュエータの、コイル側とは反対側のヘッド側においてアクチュエータをラッチする。コネクタブラケット部材３０は、フレキシブルプリント回路接続用のコネクタ１４を固定し封止する。ランプ、ラッチおよびコネクタブラケットという３つの機構を統合したコネクタブラケットアセンブリは、ハードディスクドライブ２００のコストを抑えつつ、製造適性を改善する。【選択図】  図２
2010272200.tif 000002
【特許請求の範囲】
【請求項１】
記録再生ヘッドを備えたハードディスクドライブに用いられるアセンブリであって、
ランプフィンガー部を有するランプアーム部とラッチアーム部とを着脱自在に取り付けるために用いられる構造化された上面と、平坦な底面とを有すると共に、前記ランプアーム部および前記ラッチアーム部のための、取り付け機構と位置決め機構とストップ機構とを有するコネクタブラケットを備え、
前記底面は、前記記録再生ヘッドから前記ハードディスクドライブの外部に設けられたプリント基板へのデータ転送に用いられるフレキシブルプリント回路のための電気的接続手段を保護すると共に封止し、
前記ラッチアーム部は、ヘッドスライダを駆動するアクチュエータの、コイル側とは反対側のヘッド側においてラッチ動作を行う
コネクタブラケットアセンブリ。
【請求項２】
前記ランプアーム部はピボットポストを有し、
前記コネクタブラケットは、
前記ピボットポストを把持するための可撓性の爪部材と、
前記コネクタブラケットに設けられた２つのストップピンであって、前記爪部材によって把持された前記ピボットポストを軸として回動する前記ランプアーム部の前記ランプフィンガー部の旋回運動を、両ピン間に制限する第１のストップピンおよび第２のストップピンと、
前記ランプアーム部を、前記第１のストップピンまたは前記第２のストップピンに対して付勢し保持する板ばね部材と
をさらに有し、
前記ランプアーム部が、前記第１のストップピンによってディスク設置時の位置に位置決めされると共に、前記第２のストップピンによって前記ディスク上の最終ランプ位置に位置決めされる
請求項１に記載のコネクタブラケットアセンブリ。
【請求項３】
前記ラッチアーム部はピボット穴を有し、
前記コネクタブラケットは、
前記ラッチアーム部のピボット穴に嵌合するピボットポストと、
輸送時および組立時において前記ラッチアーム部の離脱を防止するスナップ部材と、
前記ラッチアーム部を開位置および閉位置にそれぞれ位置決めするための２つのラッチ位置決めピンと
をさらに有する
請求項１に記載のコネクタブラケットアセンブリ。
【請求項４】
前記ランプアーム部が、ヘッドインストール位置、ヘッドパーク位置およびヘッドディスクロード位置という３つのランプ位置を有する、
請求項１に記載のコネクタブラケットアセンブリ。
【請求項５】
前記ランプアーム部が、前記ランプアーム部を前記ハードディスクドライブのベース部に着脱自在に締結するための取り付け穴を有する
請求項１に記載のコネクタブラケットアセンブリ。
【請求項６】
前記ラッチアーム部が、ボイスコイルモータから生じる漂遊磁束によって前記ラッチアーム部を開位置に磁気的に吸引させるための磁気挿入部材を有し、
前記ハードディスクドライブが偶発的な衝撃を受けたときに、前記ラッチアーム部が前記漂遊磁束による磁気的吸引力に抗して閉位置へと回転し、
前記閉位置において、前記アクチュエータが前記ラッチアーム部のフックにより拘束され、これにより前記記録再生ヘッドが前記ランプアーム部から離れることを防止する、
請求項１に記載のコネクタブラケットアセンブリ。
【請求項７】
前記コネクタブラケットが、前記ランプアーム部および前記ラッチアーム部の固定と位置決めとを行う手段を有することにより、前記ハードディスクドライブのベース部の加工費用が低減される
請求項１に記載のコネクタブラケットアセンブリ。
【請求項８】
１つの組立品が、オフラインで組み込み可能なランプ機構、ラッチ機構およびコネクタブラケット機構という３つの手段を有することにより、組立時間の短縮および組立工具の単純化が実現される
請求項１に記載のコネクタブラケットアセンブリ。
【請求項９】
前記爪部材が、前記ランプアーム部の前記ピボットポストと等しい内径を有する、
請求項２に記載のコネクタブラケットアセンブリ。
【請求項１０】
閉じた際の前記爪部材の前記内径の部分が、前記ピボットポストに対するジャーナル軸受として機能する、
請求項９に記載のコネクタブラケットアセンブリ。
【請求項１１】
前記コネクタブラケットの前記上面が、リブ構造によって補強されると共に区画されている
請求項１に記載のコネクタブラケットアセンブリ。
【請求項１２】
前記コネクタブラケットが、成形により製造されたものである
請求項１に記載のコネクタブラケットアセンブリ。
【請求項１３】
板ばね部材は頂点部をそれぞれ有する２つの突出部を備え、
前記ランプフィンガー部は、旋回移動するときに前記突出部を押しながら前記頂点部を通過し、前記板ばね部材により前記第１のストップピンまたは前記第２のストップピンに対して付勢される
請求項２に記載のコネクタブラケットアセンブリ。
【請求項１４】
記録再生ヘッドを備えたハードディスクドライブにおけるランプ機構、ラッチ機構およびコネクタブラケット機構を１つのアセンブリに統合して製造する方法であって、
構造化された上面と平坦な底面とを有するコネクタブラケットを成形する工程と、
ランプフィンガー部と、前記コネクタブラケットの前記上面への着脱を可能にする着脱手段とを有するランプアーム部を設ける工程と、
前記コネクタブラケットの前記上面への着脱を可能にする着脱手段を有するラッチアーム部を設ける工程と、
前記底面により、前記記録再生ヘッドから前記ハードディスクドライブの外部に設けられたプリント基板へのデータ転送に用いられるフレキシブルプリント回路のための電気的接続手段を保護すると共に封止する工程と、
前記コネクタブラケットに、前記ランプアーム部および前記ラッチアーム部のための、取り付け機構と位置決め機構とストップ機構とを設ける工程と
を含み、
前記ラッチアーム部が、ヘッドスライダを駆動するアクチュエータの、コイル側とは反対側のヘッド側においてラッチ動作を行うようにした
コネクタブラケットアセンブリの製造方法。
【請求項１５】
前記ランプアーム部のピボットポストを把持するとともに回動させるための可撓性の爪部材を前記コネクタブラケットに設ける工程と、
前記コネクタブラケットに第１のストップピンと第２のストップピンとを設け、前記第１のストップピンにより前記ランプアーム部をディスク設置時の位置に位置決めすると共に、前記第２のストップピンにより前記ランプアーム部を前記ディスク上の最終ランプ位置に位置決めすることにより、前記ランプアーム部の回動自由度を前記第１のストップピンと前記第２のストップピンとの間に制限する工程と、
前記ランプアーム部を、前記第１のストップピンまたは前記第２のストップピンに対して付勢し保持する板ばね部材を設ける工程と
をさらに含む
請求項１４に記載のコネクタブラケットアセンブリの製造方法。
【請求項１６】
前記ラッチアーム部にピボット穴を設けると共に、このピボット穴に嵌合させるためのピボットポストを前記コネクタブラケットに設ける工程と、
前記ラッチアーム部を開位置および閉位置にそれぞれ位置決めするための２つのラッチ位置決めピンを前記コネクタブラケットに設ける工程と、
輸送時および組立時において前記ラッチアーム部の離脱を防止するスナップ結合部材を、前記コネクタブラケットに設ける工程と、
をさらに含む請求項１４に記載のコネクタブラケットアセンブリの製造方法。
【請求項１７】
前記ランプアーム部が、ヘッドインストール位置、ヘッドパーク位置およびヘッドディスクロード位置という３つのランプ位置を有する、
請求項１４に記載のコネクタブラケットアセンブリの製造方法。
【請求項１８】
前記ランプアーム部に、前記ランプアーム部を前記ハードディスクドライブのベース部に着脱自在に締結するための取り付け穴を設ける
請求項１４に記載のコネクタブラケットアセンブリの製造方法。
【請求項１９】
前記ラッチアーム部に、近傍のボイスコイルモータから生じる漂遊磁束によって前記ラッチアーム部を開位置に磁気的に吸引するための磁気挿入部材を設け、
前記ハードディスクドライブが偶発的な衝撃を受けたときに、前記ラッチアーム部が前記漂遊磁束による磁気的吸引力に抗して閉位置へと回転し、
前記閉位置において、前記アクチュエータが前記ラッチアーム部のフックにより拘束され、これにより前記記録再生ヘッドが前記ランプアーム部から離れることを防止する
請求項１４に記載のコネクタブラケットアセンブリの製造方法。
【請求項２０】
前記コネクタブラケットに、前記ランプアーム部および前記ラッチアーム部の固定と位置決めとを行う手段を設けることにより、前記ハードディスクドライブのベース部の加工費用を低減する
請求項１４に記載のコネクタブラケットアセンブリの製造方法。
【請求項２１】
前記ランプ機構、前記ラッチ機構および前記コネクタブラケット機構という３つの手段をオフラインで１つの組立品へと組み込み可能であるようにすることにより、組立時間の短縮および組立工具の単純化を実現する
請求項１４に記載のコネクタブラケットアセンブリの製造方法。
【請求項２２】
磁気ディスクと、
前記磁気ディスクに対する情報の書き込みおよび読み出しを行う記録再生ヘッドと、
前記記録再生ヘッドが形成されたヘッドスライダを駆動するアクチュエータと、
ランプ機能、ラッチ機能およびコネクタブラケット機能を有するコネクタブラケットアセンブリと
を備え、
前記コネクタブラケットアセンブリは、
ランプフィンガー部を有するランプアーム部とラッチアーム部とを着脱自在に取り付けるために用いられる構造化された上面と、平坦な底面とを有すると共に、前記ランプアーム部および前記ラッチアーム部のための、取り付け機構と位置決め機構とストップ機構とを有するコネクタブラケットを有し、
前記底面は、前記記録再生ヘッドから前記ハードディスクドライブの外部に設けられたプリント基板へのデータ転送に用いられるフレキシブルプリント回路のための電気的接続手段を保護すると共に封止し、
前記ラッチアーム部は、前記アクチュエータの、コイル側とは反対側のヘッド側においてラッチ動作を行う
ハードディスクドライブ。
【発明の詳細な説明】
【技術分野】
【０００１】
本発明は、ハードディスクドライブの３つの別個の機構が１つに統合されたコネクタブラケットアセンブリおよびその製造方法、ならびにそのようなコネクタブラケットアセンブリを備えたハードディスクドライブに関する。
【背景技術】
【０００２】
今日大量生産されているハードディスクドライブ（ＨＤＤ）は、金属ハウジングと、この金属ハウジングの内部に設けられた一つ以上のハードディスク（プラッタ）と、このハードディスク（以下、単にディスクという。）を回転可能に装着するスピンドルとにより構成されている。ディスクは、一般的にアルミニウム（Ａｌ）やガラス等の硬質の非磁性材料により構成される。ディスクの各表面は、非常に薄い磁性材料層によって覆われており、情報がバイナリ形式により保存される。各ディスクの両面には、ディスク表面に沿って移動するサスペンションアームに取り付けられた記録再生ヘッドスライダ（トランスデューサヘッド；以下、単にヘッドという。）が位置するようになっている。
【０００３】
ハードディスクドライブは、サスペンションアームのヘッドを、回転するディスクの記録面（磁性面）に対向配置させるために、一般的にロータリーアクチュエータ構造を有している。ディスクは、高速で回転することにより空気を回転させ、ディスクの表面上に「エアベアリング効果」を形成する。これにより、空気力学的形状を有するスライダが、ディスクの磁性面から厳密に制御された間隔を隔てて「浮上」することを可能としている。この間隔は極めて小さく、人間の毛髪の直径未満となっている。多数にわたる精密な機械的部品の組み立てやハードディスクの製造は、ハードディスクに対して甚大な損傷を負わせる汚染物質の混入を防止するために、クリーンルームや湿度制御された環境下で行われる。
【０００４】
データを記憶するための手法は、ここ数年、記憶容量を増大させつつ、その記憶容量が占める物理的サイズを同時に縮小させるという傾向にある。また、より高性能なコンピュータハードウェアやソフトウェアの導入が加速するに伴い、ディスクドライブについて、より安価で大容量であること、およびパッケージングがより小型であることへの市場圧力が高まっている。記憶デバイスの製造業者は、技術的性能や信頼性を損なうことなく合理的に実現可能なあらゆるコスト削減を達成すべく尽力している。
【先行技術文献】
【特許文献】
【０００５】
【特許文献１】特開２００  −００００００号公報
【発明の概要】
【発明が解決しようとする課題】
【０００６】
ランプを用いた従来技術に係るハードディスクドライブは、電源を落とす前にスライダをディスクから移動させ、移動させたスライダをカム状構造体の上に安全に位置させる機構を有している。このカム状構造体は、ディスクに最も近い側に浅いランプ（ramp；斜道部）を備えており、ランプロード／アンロードの名称の由来となっている。電源の投入シーケンスに際しては、ディスクが適正な回転速度に達すると、スライダをランプから移動させ、このスライダをディスクの表面上に移動させることによって、記録再生ヘッドをロードさせる。回転するディスクからの気流は、スライダとディスクとの間のクッションのような役割を果たし、スライダの表面とディスクの表面とが、フライハイトと称される設計間隔だけ離間するように保っている。ランプは、従来より、金属ハウジングのベース部の上に設置される。ランプは、各ディスクの表面上の位置に向かってスライドし、または回転するようになっている。この動作を行うためには、精密に加工された基準面と、位置決め・ストップ機構と、固定機構とをベース部に設けることが必要となる。
【０００７】
また、ハードディスクドライブは、輸送時や非動作時にスライダがディスクの表面上に移動することを防止するために、ラッチを用いる。ラッチは、ベース部に設置され、不適切な取り扱いがなされた際に、アクチュエータを安全な位置に保つように機能する。この場合も同様に、精密に加工された設置面と、位置決め・ストップ機構と、固定機構とをベース部に設けることが必要となる。
【０００８】
さらに、ハードディスクドライブでは、記録再生ヘッドからプリント基板（ＰＣＢ）に対してデータを転送するために、フレキシブルプリント回路（ＦＰＣ）を用いている。プリント基板は、密封されたハードディスクドライブの外部に設けられ、フレキシブルプリント回路は、ハードディスクドライブの内部の記録再生ヘッドに取り付けられている。これらのプリント基板とフレキシブルプリント回路とを電気的に接続するために、コネクタが用いられている。また、このコネクタを封止するためのガスケットと、このガスケットを位置決めし、押圧するためのブラケットとが設けられている。この場合も同様に、精密に加工された設置面と、位置決め機構と、固定機構とをベース部に設けることが必要となる。
【０００９】
このように、従来、ランプ機構と、ラッチ機構と、コネクタブラケット機構とは、ベース部の構造体の上に独立して設置された３つの別個の部材として設けられるようになっていた。これらの３つの部材に要する部品コストおよび組立コストは、ハードディスクドライブ全体の製造コストのうちの相当な部分を占めるものである。したがって、上記の３つの部材に要するコストを低減することが喫緊の課題であった。
【００１０】
本発明はかかる問題点に鑑みてなされたもので、その目的は、ハードディスクドライブの組立時間、コストおよびスペースを改善することを可能にするコネクタブラケットアセンブリおよびその製造方法、ならびにハードディスクドライブを提供することにある。
【００１１】
本発明における、より具体的な目的のひとつは、アクチュエータの、コイル側とは反対側であるヘッド側において動作するラッチ機構を備えたコネクタブラケットアセンブリおよびその製造方法、ならびにハードディスクドライブを提供することにある。
【００１２】
本発明における、より具体的な目的のひとつは、従来必要とされていた組み込み時の位置合わせ作業をなくすことを可能にするために、取り付け機構と位置決め機構とストップ機構とを有するコネクタブラケット機構を備えたコネクタブラケットアセンブリおよびその製造方法、ならびにハードディスクドライブを提供することにある。
【００１３】
本発明における、より具体的な目的のひとつは、ランプ機構、ラッチ機構およびコネクタブラケット機構の各々が記録再生ヘッドスライダおよびディスク面に対して正確に配置され、かつこれらの三者が一体に統合化された単一組立品としてのコネクタブラケットアセンブリおよびその製造方法、ならびにハードディスクドライブを提供することにある。
【００１４】
本発明における、より具体的な目的のひとつは、より少数の部品を用いて製造可能であると共に、駆動信頼性およびロバスト性を向上させつつ、ハードディスクドライブの組立時の許容誤差を改善することができるコネクタブラケットアセンブリおよびその製造方法、ならびにハードディスクドライブを提供することにある。
【課題を解決するための手段】
【００１５】
以下に説明するように、新規な幾何学的・運動学的設計原理を適用した点が本発明の中心をなすものである。具体的には、以下の通りである。
【００１６】
本発明のコネクタブラケットアセンブリは、記録再生ヘッドを備えたハードディスクドライブに用いられるアセンブリであって、ランプフィンガー部を有するランプアーム部とラッチアーム部とを着脱自在に取り付けるために用いられる構造化された上面と平坦な底面とを有すると共に、ランプアーム部およびラッチアーム部のための、取り付け機構と位置決め機構とストップ機構とを有するコネクタブラケットを備えている。コネクタブラケットの底面は、記録再生ヘッドからハードディスクドライブの外部に設けられたプリント基板へのデータ転送に用いられるフレキシブルプリント回路のための電気的接続手段を保護すると共に封止する。ラッチアーム部は、ヘッドスライダを駆動するアクチュエータの、コイル側とは反対側のヘッド側においてラッチ動作を行う。
【００１７】
本発明のコネクタブラケットアセンブリでは、ランプアーム部にピボットポストを設けると共に、コネクタブラケットに、ピボットポストを把持するための可撓性の爪部材と、爪部材によって把持されたピボットポストを軸として回動するランプアーム部のランプフィンガー部の旋回運動を両ピン間に制限する第１のストップピンおよび第２のストップピンと、ランプアーム部を第１のストップピンまたは第２のストップピンに対して付勢し保持する板ばね部材とをさらに設け、ランプアーム部が、第１のストップピンによってディスク設置時の位置に位置決めされると共に、第２のストップピンによってディスク上の最終ランプ位置に位置決めされるようにすることが可能である。
【００１８】
また、本発明のコネクタブラケットアセンブリでは、ラッチアーム部にピボット穴を設けると共に、コネクタブラケットに、ラッチアーム部のピボット穴に嵌合するピボットポストと、輸送時および組立時においてラッチアーム部の離脱を防止するスナップ部材と、ラッチアーム部を開位置および閉位置にそれぞれ位置決めするための２つのラッチ位置決めピンとをさらに設けるようにすることが可能である。
【００１９】
また、本発明のコネクタブラケットアセンブリでは、ランプアーム部は、ヘッドインストール位置、ヘッドパーク位置およびヘッドディスクロード位置という３つのランプ位置を有するように構成可能である。ランプアーム部には、ランプアーム部をハードディスクドライブのベース部に着脱自在に締結するための取り付け穴を設けるようにしてもよい。
【００２０】
また、本発明のコネクタブラケットアセンブリでは、ラッチアーム部に、ボイスコイルモータから生じる漂遊磁束によってラッチアーム部を開位置に磁気的に吸引させるための磁気挿入部材を設け、ハードディスクドライブが偶発的な衝撃を受けたときにラッチアーム部が漂遊磁束による磁気的吸引力に抗して閉位置へと回転し、この閉位置においてアクチュエータがラッチアーム部のフックにより拘束されるようにして、記録再生ヘッドがランプアーム部から離れることを防止するように構成することが可能である。
【００２１】
また、本発明のコネクタブラケットアセンブリでは、コネクタブラケットに、ランプアーム部およびラッチアーム部の固定と位置決めとを行う手段を設けるようにすることにより、ハードディスクドライブのベース部の加工費用が低減される。また、１つの組立品が、オフラインで組み込み可能なランプ機構、ラッチ機構およびコネクタブラケット機構という３つの手段を有するように構成することにより、組立時間の短縮および組立工具の単純化が可能になる。
【００２２】
また、本発明のコネクタブラケットアセンブリでは、コネクタブラケットの爪部材がランプアーム部のピボットポストと等しい内径を有するようにすることが好ましい。こうすることにより、閉じた際の爪部材の内径の部分を、ピボットポストに対するジャーナル軸受として機能させることができる。コネクタブラケットは、例えば成形により製造可能であり、その上面をリブ構造によって補強し区画することが好ましい。
【００２３】
また、本発明のコネクタブラケットアセンブリでは、板ばね部材に、それぞれ頂点部を有する２つの突出部を設け、ランプフィンガー部が旋回移動するときに突出部を押しながら頂点部を通過し、板ばね部材により第１のストップピンまたは第２のストップピンに対して付勢されるように構成することが可能である。
【００２４】
また、本発明のコネクタブラケットアセンブリでは、ラッチアーム部に、近傍のボイスコイルモータから生じる漂遊磁束によってラッチアーム部を開位置に磁気的に吸引するための磁気挿入部材を設け、ハードディスクドライブが偶発的な衝撃を受けたときに、ラッチアーム部が漂遊磁束による磁気的吸引力に抗して閉位置へと回転し、閉位置においてアクチュエータがラッチアーム部のフックにより拘束されて記録再生ヘッドがランプアーム部から離れることを防止するように構成することが可能である。
【００２５】
本発明におけるコネクタブラケットアセンブリの製造方法は、記録再生ヘッドを備えたハードディスクドライブにおけるランプ機構、ラッチ機構およびコネクタブラケット機構を１つのアセンブリに統合して製造する方法であって、構造化された上面と平坦な底面とを有するコネクタブラケットを成形する工程と、ランプフィンガー部と、前記コネクタブラケットの前記上面への着脱を可能にする着脱手段とを有するランプアーム部を設ける工程と、コネクタブラケットの上面への着脱を可能にする着脱手段を有するラッチアーム部を設ける工程と、記録再生ヘッドからハードディスクドライブの外部に設けられたプリント基板へのデータ転送に用いられるフレキシブルプリント回路のための電気的接続手段を上記の平坦化な底面によって保護すると共に封止する工程と、コネクタブラケットに、ランプアーム部およびラッチアーム部のための、取り付け機構と位置決め機構とストップ機構とを設ける工程とを含み、ラッチアーム部が、ヘッドスライダを駆動するアクチュエータの、コイル側とは反対側のヘッド側においてラッチ動作を行うことができるようにしたものである。
【００２６】
本発明におけるコネクタブラケットアセンブリの製造方法では、本発明におけるコネクタブラケットアセンブリに関して上述した細部構成例と同様の構成を適宜採用することができる。
【発明の効果】
【００２７】
本発明のコネクタブラケットアセンブリおよびその製造方法によれば、新規な幾何学的・運動学的設計原理を適用しつつ部品を統合するようにしたので、ハードディスクドライブの組立にとって有利な構造を得ることができると共に、ハードディスクドライブの信頼性を向上させることができる。また、部品を組み立てる上での許容誤差や制約をごく自然なもの（すなわち、必要以上に厳しいものではないもの）とすることができるので、製造適性に富み、製造コストの低減が可能である。
【００２８】
本発明の上述した記載ならびに他の目的、特徴および利点は、以下の明細書、特許請求の範囲および添付図面を参照することによってより一層理解することができる。
【図面の簡単な説明】
【００２９】
【図１】従来技術に係るランプを示すハードディスクドライブの要部を模式的に示す概略斜視図である。
【図２】本発明の実施の形態におけるコネクタブラケットアセンブリを上方に分離した状態を示すハードディスクドライブの斜視図である。
【図３】図２に示したコネクタブラケットアセンブリにおけるコネクタブラケットの斜視図である。
【図４】図２に示したコネクタブラケットアセンブリにおけるランプ部材を示す斜視図である。
【図５】図２に示したコネクタブラケットアセンブリにおけるラッチ部材を示す斜視図である。
【図６】図２に示したコネクタブラケットアセンブリをより詳細に示す斜視図である。
【図７】コネクタブラケットの爪部材にランプ部材をスナップ結合させる前の状態を示す上面図である。
【図８】コネクタブラケットの爪部材にランプ部材をスナップ結合させた後の状態を示す上面図である。
【図９】ヘッドスライダがヘッドインストール位置にあるときの状態を示すハードディスクドライブの上面図である。
【図１０】ヘッドスライダがヘッドパーク位置にあるときの状態を示すハードディスクドライブの上面図である。
【図１１】ヘッドスライダがヘッドディスクロード位置にあるときの状態を示すハードディスクドライブの上面図である。
【図１２】ラッチ部材が開位置にあるときの状態を示すハードディスクドライブの上面図である。
【図１３】ラッチ部材が閉位置にあるときの状態を示すハードディスクドライブの上面図である。
【発明を実施するための形態】
【００３０】
以下、本発明の実施の形態について図面を参照して詳細に説明する。
【００３１】
ここで、まず、本発明の実施の形態の説明に先立ち、従来のハードディスクドライブについて簡単に説明しておく。
図１は、従来の一般的なハードディスクドライブの要部を模式的に表すものである。このハードディスクドライブ１００は、ディスク１１０と、ランプ１１１と、記録再生ヘッドが形成された記録再生ヘッドスライダ１１４を含むヘッドスライダサスペンションアームアセンブリ１２０とを備えている。ヘッドスライダサスペンションアームアセンブリ１２０は、ディスク１１０の回転が停止している状態ではランプ１１１上のパーク位置１１３に退避しているが、ディスク１１０が回転を開始して適切な回転速度の状態になると、軸１２１を中心として矢印１２２の方向にアーム回動することにより、記録再生状態１１２に移行する。この記録再生状態１１２において、記録再生ヘッドスライダ１１４は、回転するディスク１１０により生じたエアベアリング効果によって、ディスク１１０の表面上を浮上しながら、ディスク１１０に対するデータの書き込みや読み出しを行うようになっている。
【００３２】
図２は、本発明の一実施の形態におけるハードディスクドライブの要部を表すものである。この図は、ベース部１０とコネクタブラケットアセンブリ３０とを有するハードディスクドライブ２００を上方から俯瞰した斜視図であり、コネクタブラケットアセンブリ３０の上面とベース部１０の上面（内側面）とが見えている状態を示す。なお、ここでは、理解を促すため、コネクタブラケットアセンブリ３０をベース部１０から上方に分離させた状態を示している。
【００３３】
図６は、図２に示したコネクタブラケットアセンブリ３０を拡大してより詳細に表したものである。このコネクタブラケットアセンブリ３０は、構造化された上面と平坦な底面とを有するコネクタブラケット２０と、コネクタブラケット２０に対してそれぞれ着脱可能なランプ部材４０およびラッチ部材５０とを備えている。コネクタブラケット２０は、その上面から底面へと延びる２つのアライメント穴１２，１３を有する。これらの２つのアライメント穴１２，１３は、ハードディスクドライブ２００のベース部１０の上面から上方に突出した２つの位置決めピン１６，１７にそれぞれ嵌合するように配置されている。
【００３４】
位置決めピン１６，１７は、コネクタブラケットアセンブリ３０の底面が、ベース部１０に設けられたガスケット１５に当接してこれを押圧することとなるような位置にコネクタブラケットアセンブリ３０を案内配置するために用いられる。ガスケット１５は、コネクタ１４の周囲を囲っている。コネクタ１４は、内部が密封されたハードディスクドライブ２００の外部（ベース部１０の下面側）に設けられたプリント基板（図示せず）と、ハードディスクドライブ２００の内部の記録再生ヘッド（図示せず）に取り付けられたフレキシブルプリント回路（図示せず）とを電気的に接続するためのものであり、これにより、記録再生ヘッドからフレキシブルプリント回路を介してプリント基板にデータを転送することができるようになっている。
【００３５】
コネクタブラケットアセンブリ３０は、取り付けねじ１８を用いて、ガスケット１５を押圧しつつ、ハードディスクドライブ２００のベース部１０に着脱可能に固定される。このとき、取り付けねじ１８は、コネクタブラケットアセンブリ３０のリブ部の中央に設けられたクリアランス穴１９を通ってベース部１０のねじ込み部材１１に締結される。
【００３６】
このように、コネクタブラケットアセンブリ３０は、オフラインで予め組み込み可能な３つの機能（ランプ機能、ラッチ機能およびコネクタブラケット機能）を有し、上記のようにヘッドディスク組立品の上に設置される。これにより、クリーンルームのスペースや、時間およびコストを節減することができる。
【００３７】
図３はコネクタブラケット２０の斜視構造を表し，図４はランプ部材４０の斜視構造を表し、図５はラッチ部材５０の斜視構造を表すものである。図７および図８は、コネクタブラケット２０にランプ部材４０を組み込む際の状態の上面視構成を表すものである。
【００３８】
図４に示したように、ランプ部材４０は、取り付け穴４１と、スナップポスト４２と、延長部としてのランプアーム４３とを有する。ランプ部材４０は、その側面に、ヘッドスライダに対する３つのランプ位置が設定されたランプ面を有する。３つのランプ位置とは、ヘッドインストール位置４６、ヘッドパーク位置４５およびヘッドディスクロード位置４４である。
【００３９】
図３に示したコネクタブラケット２０は、材料の質量を最小限に抑える一方で機械的強度および機械的安定性を増加させるような構造基盤が得られるように設計されている。コネクタブラケット２０は、ディスク（図示せず）の組み込みの際に、ランプ部材４０の取り付けおよびその回動を別々に行うことができるようにするための取り付け機構および回動機構を有する。ランプ部材４０を回動させる目的は、組立に際して、ディスクの組み込みスペースを設けると共にヘッドスライダ（図示せず）を固定できるようにすることである。
【００４０】
図３に示したように、コネクタブラケット２０は、基盤部２０ａと、この基盤部２０ａの上に立設され基盤部２０ａの上面を４つの領域に区分するリブ部２０ｂとを備えている。リブ部２０ｂのほぼ中央部には、コネクタブラケット２０を上下方向に貫通するクリアランス穴１９が設けられている。
【００４１】
上記の４つの領域のうち、第１の領域には、所定の相互間隔をおいて一対のストップピン２４，２７が基盤部２０ａの上面に立設されている。この第１の領域の基盤部２０ａには、細長い穴が開けられ、この穴の上にせり出すように板ばね２３が設けられている。この板ばね２３は、リブ部２０ｂと一体に成形することにより形成可能であり、後述するように、ランプ部材４０のランプアーム４３によって押されて弾性的に撓むようになっている。さらに、第１の領域の基盤部２０ａには、上下方向に対をなす２つの可撓性の爪部材２５，２６が設けられている。この爪部材２５，２６については、後に詳述する。
【００４２】
第２の領域の基盤部２０ａの上面には、所定の相互間隔をおいて一対の位置決めピン２８，２９が立設されると共に、ラッチ部材５０を取り付けるためのピボットポスト２１が立設されている。第２の領域にはまた、スナップ部材２２が設けられている。このスナップ部材２２については、後に詳述する。
【００４３】
コネクタブラケット２０に設けられた爪部材２５，２６は、コネクタブラケット２０にランプ部材４０をスナップ結合させるためのものである。図７および図８に示したように、爪部材２５，２６はスリット部２５ａと開口部２５ｂとを有する。組み立て時においてランプ部材４０のスナップポスト４２が開口部２５ｂの内部方向に押し付けられると（図７）、スリット部２５ａの作用も相まって、爪部材２５，２６が撓んで開口部２５ｂが広がり、爪部材２５，２６の内部にスナップポスト４２が収容されるようになっている（図８）。爪部材２５，２６は、スナップポスト４２の内径と同一の内径を有し、スナップポスト４２に対するジャーナル軸受（journal bearing）として機能する。これにより、ランプ部材４０は回動自在になっている。
【００４４】
図８に示したように、ランプ部材４０は、このランプ部材４０に設けられた延長部（ランプアーム）４３が、コネクタブラケット２０に設けられた２つのストップピン２４，２７間で制限されることにより、その回動が制限されるようになっている。ストップピン２７は、ディスク設置時において、ランプ開の位置に対応している。板ばね２３は、ランプアーム４３をストップピン２４またはストップピン２７に当接させることにより、ランプ部材４０の現位置を保持するようになっている。
【００４５】
ランプ部材４０は、ディスクが設置された後、ディスク上の所定位置へと回動され、これにより、ランプ部材４０のランプ面が設計位置に位置決めされるようになっている。ストップピン２４は、ランプ部材４０を上記の所定位置に位置決めするためのものである。すなわち、板ばね２３は、ランプ部材４０をストップピン２４に押し付けて当接させることにより、ランプ部材４０を上記所定位置に保持することができる。さらに、固定を確実にするために、取り付け穴４１に挿入されるねじ止め部材（図示せず）によって、ランプ部材４０がハードディスクドライブ２００のベース部１０のねじ込み穴（図示せず）に固定されるようになっている。
【００４６】
図５に示したように、ラッチ部材５０は、ラッチフック５１と、ラッチアーム５２と、ピボット穴５３と、磁気復帰用挿入部材（magnetic return insert）５４と、棚部５５とを有する。ピボット穴５３には図３に示したコネクタブラケット２０のピボットポスト２１が挿入され、これにより、ラッチ部材５０はピボットポスト２１を中心に回動するようになっている。ラッチ部材５０は、アクチュエータのコイル側で動作する従来の機構とは異なり、アクチュエータ（図示せず）のヘッド側で動作するようになっている。コネクタブラケットアセンブリ３０は、ランプ部材４０およびラッチ部材５０の双方とコネクタブラケット２０とを単一の成形組立品として組み合わせるという意欲的な設計構造を有している。その結果、ヘッドスライダ（あるいはアクチュエータ）に対して位置決めされたコネクタブラケット機構という共通の基準部材を介して、ラッチ機構およびランプ機構の両方がヘッドスライダに対して位置決めされることになる。
【００４７】
コネクタブラケット２０に形成された２つの位置決めピン２８，２９は、ラッチ部材５０を開位置または閉位置に位置決めするためのものである。すなわち、ラッチ部材５０の回動は、２つのラッチ位置決めピン２８，２９により制限され、これによりラッチ部材５０が位置決めされる。具体的には、位置決めピン２９は閉位置に対応し、位置決めピン２８は開位置に対応している。
【００４８】
磁気復帰用挿入部材（または磁気復帰スラグ）５４は、ラッチ部材５０を開位置に復帰させるために設けられている。この磁気復帰用挿入部材５４は、軟鋼よりなる円筒状部材であり、アクチュエータアセンブリ６０（後述する図９参照）を移動させるためのＶＣＭ（ボイスコイルモータ）６１（図９参照）の端部からの漂遊磁束Ｍ（図６）により磁気的にＶＣＭ６０の方向に引き付けられるようになっている。
【００４９】
ラッチ部材５０が開位置にあるとき、図示しないアクチュエータは、回動自在に、ランプ部材５０から離れたりランプ部材５０上に退避できるようになっている。この開位置では、回転するディスクの上方をヘッドが浮上して移動し、データアクセスが可能となる。一方、ラッチ部材５０が閉位置にあるときには、図示しないアクチュエータの移動が制限され、ヘッドスライダはランプ部材５０上に保持されるようになっている。
【００５０】
ラッチ部材５０は、回転に伴う大きな衝撃がハードディスクドライブ２００に加わらない限り、常に開位置に位置している。ラッチ部材５０が設けられていないと、大きな回転衝撃が加わったときに、アクチュエータおよびヘッドスライダがランプ部材４０から離れる方向に移動し、その結果、ヘッドが非回転状態のディスク上に着地し、ハードディスクドライブ２００を傷めてしまう。低摩擦のピボット軸（ピボットポスト２１）を中心としたラッチ部材５０は、回転慣性を有することから、回転衝撃が生じている間、磁気復帰挿入部材５４による磁気的復帰力（magnetic return force）に抗してラッチ部材５０が閉位置（位置決めピン２９の側）に移動する。そして、回転衝撃の発生が収まると、上記の磁気的復帰力により、ラッチ部材５０が開位置（位置決めピン２８の側）へと戻るようになっている。
【００５１】
コネクタブラケット２０に設けられたスナップ部材２２は、組立の際にラッチ部材５０が離脱することを防止するものである。スナップ部材２２は、可撓性を有する部材であり、ラッチ部材５０をピボットポスト２１に取り付ける際にその妨げとならないように撓んで曲がるようになっている。スナップ部材２２は、ラッチ部材５０が動作位置に完全に載置されている場合、後方へとスナップし、ラッチ部材５０の棚部５５の上面にスナップ結合する。この棚部５５は、スナップ部材２２よりも下方に位置し、ラッチ部材５０の回動の妨げとはならない一方、ラッチ部材５０がピボットポスト２１から上方にスライド移動して脱落してしまうのを規制するものである。
【００５２】
次に、以上のような構成のコネクタブラケットアセンブリ３０の作用と共に、ヘッドスライダを搭載したアクチュエータの動作を説明する。
【００５３】
コネクタブラケットアセンブリ３０におけるコネクタブラケット２０の構造化された上面は、ランプフィンガー部としてのランプアーム４３を有するランプアーム部としてのランプ部材４０と、ラッチアーム部としてのラッチ部材５０とを着脱自在に取り付けるために用いられる。そのために、コネクタブラケット２０には、ランプ部材４０およびラッチ部材５０のための取り付け機構が設けられる。さらに、コネクタブラケット２０には、ランプ部材４０およびラッチ部材５０のための位置決め機構とストップ機構とが設けられる。ラッチ部材５０は、図示しないアクチュエータの、コイル側とは反対側のヘッド側で動作する。一方、コネクタブラケット２０の平坦な底面は、記録再生ヘッドからハードディスクドライブの外部のプリント基板（図示せず）へとデータを転送するために用いられるフレキシブルプリント回路（図示せず）のための電気的接続手段（コネクタ１４）を保護し、封止する。
【００５４】
コネクタブラケット２０の爪部材２５，２６は、可撓性かつ弾性を有し、ランプ部材４０のピボットポスト（スナップポスト４２）を収容し保持する。ランプ部材４０は、爪部材２５，２６の内部にスナップポスト４２が収容された状態で回動する。この回動は、ランプ部材４０のランプフィンガー部（ランプアーム４３）により、コネクタブラケット２０の２つのストップピン２４，２７の間に制限される。ランプ部材４０は、第１のストップピン２７によりディスク設置時の位置に位置決めされると共に、第２のストップピン２４によりディスク上の最終的なランプ位置（設計位置）に位置決めされる。板ばね２３は、ストップピン２４，２７に向かってランプ部材４０を付勢し、これを保持する。
【００５５】
図９〜図１１は、アクチュエータアセンブリ６０により駆動されるアームアセンブリ６２に搭載されたヘッドスライダ（図示せず）が、ヘッドインストール位置４６、ヘッドパーク位置４５およびヘッドディスクロード位置４４の各位置にあるときのＨＤＤ２００の平面視状態を表すものである。
【００５６】
図９に示したように、ヘッドインストール時、ランプ部材４０は、爪部材２５に把持されたスナップポスト４２（図３および図４）を回転軸として時計回り方向にいっぱいに（すなわち、ランプアーム４３がコネクタブラケット２０のストップピン２７（図３）に当接する位置まで）回動され、コネクタブラケット２０の板ばね２３（図３）によってこの位置（開位置）に仮止めされる。この状態では、ランプ部材４０がディスク設置領域から離れる方向に移動しており、クリアランスができているので、ディスクの組み込みが可能である。このディスク組込工程は、アクチュエータアセンブリ６０を時計回りにいっぱいに回動させてヘッドスライダをランプ部材４０のヘッドインストール位置４６（図４）に位置させた状態で行われる。
【００５７】
ヘッドインストールが完了すると、図１０および図８に示したように、ランプ部材４０は、反時計回り方向にいっぱいに（すなわち、ランプアーム４３がコネクタブラケット２０のストップピン２４（図３）に当接する位置まで）回動され、コネクタブラケット２０の板ばね２３（図３）によってこの位置（閉位置）に仮止めされる。さらに、ランプ部材４０は、取り付け穴４１に挿入される図示しないねじ等によってベース１０に固定される。これにより、ランプ部材４０は、ディスクに近づく方向に移動した状態で固定される。このときもまた、アクチュエータは時計回りいっぱいの位置に回動して状態であり、その結果、ヘッドスライダはランプ部材４０のヘッドパーク位置４５（図４）に位置する。
【００５８】
図１１は、ハードディスクドライブの動作が開始し、ヘッドスライダがランプ部材４０のヘッドパーク位置４５から離れ、ヘッドディスクロード位置４４（図４）を経てディスク上に移動しようとするときの状態を示している。なお、この状態においても、ランプ部材４０が反時計回り方向いっぱいの位置（閉位置）にあるのはもちろんである。
【００５９】
コネクタブラケット２０のピボットポスト２１は、ラッチ部材５０のピボット穴５３に嵌合する。ラッチ部材５０は、ピボットポスト２１を軸として回動する。コネクタブラケット２０の２つのラッチ位置決めピン２８，２９は、それぞれ、ラッチ部材５０を開位置および閉位置に位置決めする。コネクタブラケット２０に設けられたスナップ部材２２は、輸送および組立に際してラッチ部材５０が離脱することを防止する。
【００６０】
図１２および図１３は、ラッチ部材５０がそれぞれ開位置および閉位置にあるときの状態を表すものである。図１２では、ラッチ部材５０のラッチアーム５２が位置決めピン２８に当接した状態になっており、ラッチフック５１は時計回りいっぱいに開いた位置（開位置）にある。このため、アクチュエータアセンブリ６０は自由に回動可能である。一方、図１３では、ラッチ部材５０のラッチアーム５２が位置決めピン２９に当接した状態になっており、ラッチフック５１は反時計回りいっぱいに閉じた位置（閉位置）にある。このため、アクチュエータアセンブリ６０における、コイル側６３とは反対側のヘッド側６４に設けられたラッチ板６５がラッチフック５１によって拘束され、アクチュエータアセンブリ６０はディスク上への自由な回動が制限される。
【００６１】
以上、本発明をその好適な実施の形態を参照して詳細に説明したが、当業者であれば、本発明の精神および範囲から逸脱することなく、形式的および細部にわたる様々な変更が可能であることを理解することができよう。
【符号の説明】
【００６２】
１１…ねじ込み部材、１２，１３…アライメント穴、１４…コネクタ、１５…ガスケット、１６，１７…位置決めピン、１８…取り付けねじ、１９…クリアランス穴、２０…コネクタブラケット、２１…ピボットポスト、２２…スナップ部材、２３…板ばね、２４，２７…ストップピン、２５，２６…爪部材、２５ａ…スリット部、２５ｂ…開口部、２８，２９…位置決めピン、３０…コネクタブラケットアセンブリ、４０…ランプ部材、４１…取り付け穴、４２…スナップポスト、４３…ランプアーム（延長部）、４４…ヘッドディスクロード位置、４５…ヘッドパーク位置、４６…ヘッドインストール位置、５０…ラッチ部材、５１…ラッチフック、５２…ラッチアーム、５３…ピボット穴、５４…磁気復帰用挿入部材、６０…アクチュエータアセンブリ、６１…ＶＣＭ、６２…アームアセンブリ、６３…コイル側、６４…ヘッド側、２００…ハードディスクドライブ。
【図１】
2010272200.tif 000003
【図２】
2010272200.tif 000004
【図３】
2010272200.tif 000005
【図４】
2010272200.tif 000006
【図５】
2010272200.tif 000007
【図６】
2010272200.tif 000008
【図７】
2010272200.tif 000009
【図８】
2010272200.tif 000010
【図９】
2010272200.tif 000011
【図１０】
2010272200.tif 000012
【図１１】
2010272200.tif 000013
【図１２】
2010272200.tif 000014
【図１３】
2010272200.tif 000015